(57)【特許請求の範囲】
【請求項１】
表示パネルをフレーム内に収納するとともに、使用時に表示パネルを引出すようにした収納式表示装置であって、
前記フレームに対して摺動自在に取付けられた可動シャーシと、
前記可動シャーシの前端部に回動自在に取付けられ、前記表示パネルの下端面に接して該表示パネルの下端部のほぼ全長を支持する細長い棒状の基体部と、
前記基体部の前記表示パネルとの接合面に開口する凹部内において前記表示パネルの下端面の長さ方向に延びるように配され、前記表示パネルを下端側から照明する照明手段と、
を備え、
前記表示パネルと前記基体部との接合部にコネクタが配され、該コネクタによって前記表示パネルに対する電気的な接続がなされ、前記表示パネルが該表示パネルを支持する基体部に対して着脱自在であることを特徴とする収納式表示装置。
【請求項２】
前記表示パネルが反射型液晶表示パネルから構成されるとともに、前方から前記照明手段によって前記表示パネルを照明するようにしたことを特徴とする請求項１に記載の収納式表示装置。
【請求項３】
前記表示パネルが透過型液晶表示パネルから構成されるとともに、背面側に導光板が配され、前記照明手段によって前記導光板のエッジの部分に光を入射させるようにしたことを特徴とする請求項１に記載の収納式表示装置。
【発明の詳細な説明】
【０００１】
【発明の属する技術分野】
本発明は収納式表示装置に係り、とくに表示パネルを引出して使用位置へ移動させるようにした収納式表示装置に関する。
【０００２】
【従来の技術】
例えば自動車にナビゲーション装置やコンピュータを装備する場合には、適当な表示手段を必要とする。例えばナビゲーション装置の場合には、従来はインストルメントパネルの上部にオンダッシュタイプの液晶表示パネルを取付けるようにしている。この場合には、インストルメントパネルの外表面上に穴をあけて液晶表示パネルをねじで固定する方法によって取付けが行なわれるようになっている。
【０００３】
これに対してビルドインタイプの車載用表示装置は、インストルメントパネルあるいはコンソールパネル内にオーディオ装置やエアコンのコントロールパネルと一緒に組込まれるようになっている。
【０００４】
【発明が解決しようとする課題】
このような車載用の収納式表示装置としては、消費電力が少なく、着脱可能であって持出すことがでるようにした方が好ましい。とくにモーバイルコンピュータの表示装置を兼用する場合には、可搬型にすることが望ましい。しかも車載使用時において、十分な明るさを確保できるようにしなければならない。
【０００５】
本発明はこのような問題点に鑑みてなされたものであって、着脱可能な、あるいはまた車載使用時において十分な明るさが確保可能な収納式表示装置を提供することを目的とする。
【０００６】
【課題を解決するための手段】
本発明は、表示パネルをフレーム内に収納するとともに、使用時に表示パネルを引出すようにした収納式表示装置であって、
前記フレームに対して摺動自在に取付けられた可動シャーシと、
前記可動シャーシの前端部に回動自在に取付けられ、前記表示パネルの下端面に接して該表示パネルの下端部のほぼ全長を支持する細長い棒状の基体部と、
前記基体部の前記表示パネルとの接合面に開口する凹部内において前記表示パネルの下端面の長さ方向に延びるように配され、前記表示パネルを下端側から照明する照明手段と、
を備え、
前記表示パネルと前記基体部との接合部にコネクタが配され、該コネクタによって前記表示パネルに対する電気的な接続がなされ、前記表示パネルが該表示パネルを支持する基体部に対して着脱自在であることを特徴とする収納式表示装置に関するものである。
【０００９】
前記表示パネルが反射型液晶表示パネルから構成されるとともに、前方から前記照明手段によって前記表示パネルを照明するようにしてよい。また前記表示パネルが透過型液晶表示パネルから構成されるとともに、背面側に導光板が配され、前記照明手段によって前記導光板のエッジの部分に光を入射させるようにしてよい。
【００１０】
本発明の好ましい態様は、操作部を前面に有するとともに、回動自在に収納することができる表示パネルを有する収納式表示装置に関するものであって、上記表示パネルはこの表示パネルを支持する基体部であって回動可能な基体部から着脱可能に分離することが可能な反射型液晶表示パネルから構成される。そして上記基体部に反射型液晶表示パネルの光源を設けるようにしたものである。
【００１１】
液晶表示パネルを着脱可能に取付けるようにしている基体部は液晶表示パネルを着脱可能に接続する接点を有し、モータによって駆動して回動させるようにしている。とくに本体内に設けられている記憶手段からの情報を表示することが可能な反射型の液晶表示パネルから成る表示部を用いるようにし、表示パネルのみでも機能し得るようにしたものである。
【００１２】
このような態様に係る収納式表示装置によれば、とくに反射型の液晶表示パネルの採用によって低電力型であって、しかも持出し時の消費電力を少なくすることが可能になる。また車載状態で使用する際に十分な明るさを確保するための光源を基体部側に設けるようにしているために、車載使用時の商品性が大幅に向上するようになる。また反射型液晶表示パネルを収納することが可能なために、可搬型のモーバイルコンピュータの収納機構として最適なものになる。
【００１３】
【発明の実施の形態】
図１〜図９は本発明の一実施の形態に係る収納式表示装置を示すものであって、この表示装置は液晶表示パネルを用いた表示装置に関するものである。図３〜図５に示すようにこの装置は偏平な直方体状をなすフレーム１０を備えており、このフレーム１０はその前方が開口１１になっている。そしてフレーム１０内には開口１１の方向に移動可能に可動シャーシ１２が配されている。
【００１４】
フレーム１０の一側部には図７に示すように断面円形のガイドロッド１５が取付けられており、このガイドロッド１５が可動シャーシ１２に固定されている摺動軸受１６と摺動可能に嵌合されている。またフレーム１０にはスライドレール１７が移動自在に取付けられており、このスライドレール１７によって可動シャーシ１２の下部を支えるようにしている。
【００１５】
可動シャーシ１２の前端側の部分には横長の操作パネル２０が固着されている。操作パネル２０は複数の操作釦２１を有するとともに、横長の補助表示部２２を備えている。またコンパクトディスク（商品名）やミニディスク（商品名）等のディスク状記録媒体を挿入するためのディスク挿入口２３を備えている。
【００１６】
またこの可動シャーシ１２上には液晶表示パネル２６が回動自在に取付けられている。すなわち偏平な直方体状をなす液晶表示パネル２６の基体部３７の両側の部分がピン２７を介して可動シャーシ１２の前端側に回動自在に支持されている。また基体部３７のキャビネットの背面側の右側部には図２および図８に示すように、セグメントギヤ２８が取付けられており、このセグメントギヤ２８が可動シャーシ１２上に固定されているモータ２９の出力軸に固着されたピニオン３０と係合されるようになっており、モータ２９によって液晶表示パネル２６を回動させるようにしている。
【００１７】
このような液晶表示パネル２６を備える表示装置は、車載用の表示装置であって図１および図２に示すように、オーディオ装置と一緒に自動車のインストルメントパネルまたはコンソールパネルに上下に並べて収納されるようになっている。
【００１８】
次に上記液晶表示パネル２６の取付け構造についてとくに図３および図４によって説明する。液晶表示パネル２６は可動シャーシ１２の先端側の部分に取付けられている基体部２７に着脱可能に取付けられるようになっている。液晶表示パネル２６の接続部側には基体部３７に接続されるロック片３８がその両側に設けられるとともに、これらのロック片３８を受入れるロック孔３９が基体部３７の対応する位置に形成されている。また基体部３７の側面にはロック解除釦４０が設けられており、必要に応じてロック片３８のロックを解除し、液晶表示パネル２６の離脱を可能にしている。
【００１９】
液晶表示パネル２６と基体部３７との接合部にはコネクタ４４が配され、このコネクタ４４によって液晶表示パネル２６に対する電気的な接続が達成されるようになっている。また基体部３７の前端側の部分には細長い凹部４５が形成されるとともに、このような凹部４５内に蛍光ランプ４６が収納されるようになっている。そして蛍光ランプ４６を覆うように凹部４５の外表面は透明なカバー４７によって覆われるようになっている。
【００２０】
収納状態においては図１および図５に示すように、液晶表示パネル２６がフレーム１０内に収納されるとともに、操作パネル２０が図１に示すようにオーディオ操作パネル３３の上に並べて配置されるようになっている。
【００２１】
液晶表示パネル２６を使用する場合には図６に示すように、可動シャーシ１２をフレーム１０に対して前方に引出す。この引出しの動作は、モータによってラックとピニオンとを介して行なうようにしてもよく、あるいはまた手で操作パネル２０の部分を持って前方へ引出すようにしてもよい。このときに可動シャーシ１２は図７に示すガイドロッド１５とスライドレール１７とによって案内された状態で引出される。
【００２２】
次に図８に示すようにモータ２９を駆動し、ピニオン３０によってセグメントギヤ２８を駆動することにより、このセグメントギヤ２８が取付けられている液晶表示パネル２６が図８に示すようにピン２７を中心として反時計方向に回動され、これによって液晶表示パネル２６がほぼ直立した状態になる。
【００２３】
この後に図９に示すように、再び可動シャーシ１２をフレーム１０内に引込む。このときにフレーム１０の開口１１のエッジに対して直立する液晶表示パネル２６がやや前方に位置する位置まで引込むようにする。そしてこの状態において液晶表示パネル２６によって所定の表示を行なうようにする。なおこのときに液晶表示パネル２６を図９において鎖線で示すようにやや後方に傾けるようにしてもよい。
【００２４】
液晶表示パネル２６を収納する場合には上記とは逆の動作を行なう。すなわち図９に示すように直立した液晶表示パネル２６を支持している可動シャーシ１２を図８に示すように再び前方へ引出す。そしてこの状態においてモータ２９によってピニオン３０およびセグメントギヤ２８を介して図６および図７に示すように液晶表示パネル２６をピン２７を中心として時計方向に回動させ、可動シャーシ１２内に収納する。そしてこの後に可動シャーシ１２をフレーム１０内に引込むか押込めばよい。これによって図５に示す収納状態になる。
【００２５】
このように本実施の形態の収納式表示装置は、液晶表示パネル２６から構成されるとともに、通常はフレーム１０内に収納されており、使用時に可動シャーシ１２を前方へ引出して液晶表示パネル２６を前方へ回動させることにより使用位置へ移動させるようにしている。
【００２６】
しかもこのような収納式表示装置を構成する液晶表示パネル２６はとくに図３および図４に示すように、基体部３７に対して着脱可能になっており、ロック解除釦４０を押圧操作することにより、ロック片３８がロック孔３９から離脱し、基体部３７から液晶表示パネル２６が取外されるようになっている。従ってこの液晶表示パネル２６をモーバイルコンピュータの表示装置と兼用できるようになり、上記液晶表示装置をモーバイルコンピュータの収納機構として使用することが可能になる。
【００２７】
液晶表示パネル２６を着脱可能に支持している基体部３７の凹部４５には蛍光ランプ４６が収納されており、このような蛍光ランプ４６からの光を斜め下方から液晶表示パネル２６の前面に照射するようにしており、これによって車載使用時における液晶表示パネル２６の明るさを十分な明るさにすることが可能になる。
【００２８】
このように光源４６を基体部３７の凹部４５に設けることによって、車載使用時の商品性が改善されることになる。また基体部３７に液晶表示パネル２６を接続し、モータ２９によって図８に示すように回動させるようにしているために、液晶表示パネル２６の引出し動作が自動的に行なわれることになる。
【００２９】
フレーム１０内に設けられている回路基板上のハードディスク等のメモリ部から情報を読出し、このような情報を反射型液晶表示パネル２６によって表示することにより、この液晶表示パネル２６をモニタとして使用することが可能になる。すなわち収納式表示装置がモニタとして機能するようになり、車載用反射型モニタが構成される。
【００３０】
このような収納式表示装置は、とくに低消費電力の反射型液晶表示パネル２６を採用しているために、この液晶表示パネル２６の持出し時の消費電力が少なくなる。また車載時の液晶表示パネル２６の明るさを確保するための蛍光ランプ４６を基体部３７の凹部４５に設けることによって、車載使用時の商品性が向上することになる。また反射型液晶表示パネル２６が収納可能に車両に装備されるために、可搬型モーバイルコンピュータの収納機構として最適なものになる。
【００３１】
次に別の実施の形態を図１０によって説明する。この実施の形態は、液晶表示パネル２６を透過型の液晶表示パネルから構成したものであって、このパネルの背面側の部分に導光板５０を配するとともに、この導光板５０の下側のエッジの部分を基体部３７内の蛍光ランプ４６からの光を入射し、これによって液晶表示パネル２６の照明を行なうようにしている。
【００３２】
このような構成によれば、液晶表示パネル２６を基体部３７に対して着脱可能にするとともに、この液晶表示パネル２６を透過型の液晶表示パネルから構成することが可能になり、導光板５０を通して背面側から光を照射することにより、より明るい表示が行なわれることになる。
【００３３】
【発明の効果】
以上のように本発明は、表示パネルをフレーム内に収納するとともに、使用時に表示パネルを引出すようにした収納式表示装置であって、フレームに対して摺動自在に取付けられた可動シャーシと、可動シャーシの前端部に回動自在に取付けられ、表示パネルの下端面に接して該表示パネルの下端部のほぼ全長を支持する細長い棒状の基体部と、基体部の前記表示パネルとの接合面に開口する凹部内において前記表示パネルの下端面の長さ方向に延びるように配され、表示パネルを下端側から照明する照明手段と、を備え、表示パネルと基体部との接合部にコネクタが配され、該コネクタによって表示パネルに対する電気的な接続がなされ、表示パネルが該表示パネルを支持する基体部に対して着脱自在としたものである。
【００３４】
従ってこのような収納式表示装置によると、必要に応じて表示パネルを取外すことが可能になる。また着脱可能に表示パネルを支持する基体部を回動させて収納することが可能になる。また表示パネルを基体に接続すると、この接続に連動してコネクタによって電気的な接続が自動的に達成されることになる。また表示パネルが着脱可能に取付けられている基体部内に配されている照明手段によって表示パネルが照明されるようになる。
【００３８】
表示パネルが反射型液晶表示パネルから構成されるとともに、前方から照明手段によって表示パネルを照明するようにした構成によれば、十分な明るさを確保することが可能な反射型液晶表示パネルを用いた収納式表示装置が提供される。
表示パネルが透過型液晶表示パネルから構成されるとともに、背面側に導光板が配され、照明手段によって導光板のエッジの部分に光を入射させるようにした構成によれば、導光板を通して背面側から照明を行なうことにより、より明るい表示を行なうことが可能な表示パネルを有する収納式表示装置が提供される。
【図面の簡単な説明】
【図１】収納式表示装置の収納状態の外観斜視図である。
【図２】同引出し状態の外観斜視図である。
【図３】液晶表示パネルの取付けを示す分解斜視図である。
【図４】同接続状態の側断面図である。
【図５】収納状態の縦断面図である。
【図６】引出し状態の縦断面図である。
【図７】同平面図である。
【図８】液晶表示パネルを前方へ回動させた状態の縦断面図である。
【図９】使用位置へ表示パネルを移動させたときの縦断面図である。
【図１０】別の実施の形態の表示パネルの照明機構を示す側断面図である。
【符号の説明】
１０‥‥フレーム、１１‥‥開口、１２‥‥可動シャーシ、１５‥‥ガイドロッド、１６‥‥摺動軸受、１７‥‥スライドレール、２０‥‥操作パネル、２１‥‥操作釦、２２‥‥補助表示部、２３‥‥ディスク挿入口、２６‥‥液晶表示パネル、２７‥‥ピン、２８‥‥セグメントギヤ、２９‥‥モータ、３０‥‥ピニオン、３３‥‥オーディオ操作パネル、３７‥‥基体部、３８‥‥ロック片、３９‥‥ロック孔、４０‥‥ロック解除釦、４４‥‥コネクタ、４５‥‥凹部、４６‥‥蛍光ランプ、４７‥‥カバー、５０‥‥導光板
【図１】
0004257461.tif 000002
【図２】
0004257461.tif 000003
【図３】
0004257461.tif 000004
【図４】
0004257461.tif 000005
【図５】
0004257461.tif 000006
【図６】
0004257461.tif 000007
【図７】
0004257461.tif 000008
【図８】
0004257461.tif 000009
【図９】
0004257461.tif 000010
【図１０】
0004257461.tif 000011